(57)【特許請求の範囲】
【請求項１】
バッグ底部と、
その下方のエッジが前記バッグ底部の上方のエッジに連接されているバッグ周辺と、
前記バッグ周辺の上方のエッジに連接されているバッグ開口エッジ部と、
を含む伸縮機能付きボール収容バッグにおいて、
四つ以上の弾性体を有し、前記バッグ周辺の四つの側辺の上下端、又は前記バッグ周辺の四つの側辺と対向する二つの側辺の間の適当の間隔を有する箇所との上下端に、上リングと下リングがそれぞれ設けられており、一つの前記弾性体は、前記上リングを挿通し、その両端が前記下リングで交差して弾性付きファスナーに固定され、前記弾性付きファスナーを圧迫すると、前記弾性体の長さを調整することが可能であることを特徴とする伸縮機能付きボール収容バッグ。
【請求項２】
前記バッグ開口エッジ部の上方にカバーが設けられており、ジッパーにより、前記カバーは前記バッグ開口エッジ部の上方に連接されていることを特徴とする、請求項１に記載の伸縮機能付きボール収容バッグ。
【請求項３】
前記バッグ開口エッジ部にハンドルが二つ設けられており、前記二つのハンドルにより、ボール収容バッグの移動が便利となることを特徴とする、請求項１に記載の伸縮機能付きボール収容バッグ。
【請求項４】
前記バッグ開口エッジ部のコーナーにラグがそれぞれ設けられており、前記ラグに固定穴が設けられており、第１ボール収容バッグ枠に前記ボール収容バッグを組付けることが可能であり、前記第１ボール収容バッグ枠は、底部にキャスターが複数設けられており、上部にキノコ状を呈する固定ロッドが複数設けられており、前記ラグの前記固定穴は前記固定ロッドに固定されていることを特徴とする、請求項１に記載の伸縮機能付きボール収容バッグ。
【請求項５】
第２ボール収容バッグ枠に前記ボール収容バッグを組付けることが可能であり、前記第２ボール収容バッグ枠は、床面と接触する支脚が複数設けられており、上カバーを有し、前記上カバーは前記ボール収容バッグのバッグ開口をカバーすることを特徴とする、請求項１に記載の伸縮機能付きボール収容バッグ。
【請求項６】
第３ボール収容バッグ枠に前記ボール収容バッグを組付けることが可能であり、前記第３ボール収容バッグ枠は、床面と接触する脚枠が複数設けられており、上蓋を有し、前記上蓋は前記ボール収容バッグのバッグ開口をカバーすることを特徴とする、請求項１に記載の伸縮機能付きボール収容バッグ。
【請求項７】
第４ボール収容バッグ枠に前記ボール収容バッグを組付けることが可能であり、前記第４ボール収容バッグ枠の周りはカバー布に覆われることを特徴とする、請求項１に記載の伸縮機能付きボール収容バッグ。
【請求項８】
前記弾性体は、バネ、弾性付きロープ、又は弾性付きバンドであることを特徴とする、請求項１に記載の伸縮機能付きボール収容バッグ。
【発明の詳細な説明】
【技術分野】
【０００１】
本発明は、ボール収容バッグに関し、特に、容量がボールの数量及び重量によって変化可能であり、バッグ開口の付近にボールがいつもあり、ボールの取出しが容易となる伸縮機能付きボール収容バッグに関するものである。
【背景技術】
【０００２】
野球、テニス、バレーボールや卓球などの練習には、多量のボールを用意することが必要である。多量のボールを収容するために、ボール収容バッグを用意することが必要である。従来のボール収容バッグは、形状及び容量を変化することができず、収納が容易ではないため、大容量のボール収容バッグに少量のボールを収容するときに、ユーザの手をボール収容バッグの底部に伸びないと、ボールを取出すことができず、そして小容量のボール収容バッグは容量が不足である。
【発明の概要】
【発明が解決しようとする課題】
【０００３】
本発明の主な目的は、容量がボールの数量及び重量によって変化することが可能であり、少量のボールを収容しているときには、バッグ開口の付近にボールがいつもあり、ボールの取出しが容易となり、多量のボールを収容しているときには、多量のボールの重量により、弾性体が引張られて容量が増加するため、多量のボールを収容することが可能であり、ボールを取出することに従って、弾性体の引張程度が小さくなって、バッグ開口の付近にボールがいつもあり、ボールの取出しが容易となる伸縮機能付きボール収容バッグを提供することにある。
【課題を解決するための手段】
【０００４】
本発明の伸縮機能付きボール収容バッグによると、バッグ底部と、その下方のエッジがバッグ底部の上方のエッジに連接されているバッグ周辺と、バッグ周辺の上方のエッジに連接されているバッグ開口エッジ部と、を含む伸縮機能付きボール収容バッグにおいて、四つ以上の弾性体を有し、弾性体は、バッグ周辺の四つの側辺に設けられており、又はバッグ周辺の四つの側辺と対向する二つの側辺の間の適当の間隔を有する箇所とに設けられており、弾性体の二つのエッジは、バッグ開口エッジ部と、バッグ底部とに、それぞれ連結されていることを特徴とする。
【０００５】
本発明の伸縮機能付きボール収容バッグによると、バッグ開口エッジ部の上方にカバーが設けられており、ジッパーにより、カバーはバッグ開口エッジ部の上方に連接されていることを特徴とする。
【０００６】
本発明の伸縮機能付きボール収容バッグによると、バッグ開口エッジ部にハンドルが二つ設けられており、二つのハンドルにより、ボール収容バッグの移動が便利となることを特徴とする。
【０００７】
本発明の伸縮機能付きボール収容バッグによると、バッグ開口エッジ部のコーナーにラグがそれぞれ設けられており、ラグに固定穴が設けられており、第１ボール収容バッグ枠にボール収容バッグを組付けることが可能であり、第１ボール収容バッグ枠は、底部にキャスターが複数設けられており、上部にキノコ状を呈する固定ロッドが複数設けられており、ラグの固定穴は固定ロッドに固定されていることを特徴とする。
【０００８】
本発明の伸縮機能付きボール収容バッグによると、第２ボール収容バッグ枠にボール収容バッグを組付けることが可能であり、第２ボール収容バッグ枠は、床面と接触する支脚が複数設けられており、上カバーを有し、上カバーはボール収容バッグのバッグ開口をカバーすることを特徴とする。
【０００９】
本発明の伸縮機能付きボール収容バッグによると、第３ボール収容バッグ枠にボール収容バッグを組付けることが可能であり、第３ボール収容バッグ枠は、床面と接触する脚枠が複数設けられており、上蓋を有し、上蓋はボール収容バッグのバッグ開口をカバーすることを特徴とする。
【００１０】
本発明の伸縮機能付きボール収容バッグによると、第４ボール収容バッグ枠にボール収容バッグを組付けることが可能であり、第４ボール収容バッグ枠の周りはカバー布に覆われることを特徴とする。
【００１１】
本発明の伸縮機能付きボール収容バッグによると、弾性体は、バネ、弾性付きロープ、又は弾性付きバンドであることを特徴とする。
【００１２】
本発明の伸縮機能付きボール収容バッグによると、バッグ底部と、その下方のエッジがバッグ底部の上方のエッジに連接されているバッグ周辺と、バッグ周辺の上方のエッジに連接されているバッグ開口エッジ部と、を含む伸縮機能付きボール収容バッグにおいて、四つ以上の弾性体を有し、バッグ周辺の四つの側辺の上下端、又はバッグ周辺の四つの側辺と対向する二つの側辺の間の適当の間隔を有する箇所との上下端に、上リングと下リングがそれぞれ設けられており、一つの弾性体は、上リングを挿通し、その両端が下リングで交差して弾性付きファスナーに固定され、弾性付きファスナーを圧迫すると、弾性体の長さを調整することが可能であることを特徴とする。
【発明の効果】
【００１３】
本発明の伸縮機能付きボール収容バッグによれば、容量がボールの数量及び重量によって変化することが可能であり、少量のボールを収容しているときには、バッグ開口の付近にボールがいつもあり、ボールの取出しが容易となり、多量のボールを収容しているときには、多量のボールの重量により、弾性体が引張られて容量が増加するため、多量のボールを収容することが可能であり、ボールを取出することに従って、弾性体の引張程度が小さくなって、バッグ開口の付近にボールがいつもあり、ボールの取出しが容易となるという効果を有する。
【図面の簡単な説明】
【００１４】
【図１】本発明の実施例１を示す斜視図である。
【図２】本発明の実施例２を示す斜視図である。
【図３】本発明の実施例が少量のボールを収容している状態を示す図である。
【図４】本発明の実施例が多量のボールを収容しているときに、ボール収容バッグの容量が自動的に増大する状態を示す図である。
【図５】本発明の実施例がキャスターを有するボール収容バッグ枠に組み付けられている状態を示す図である。
【図６】本発明のカバーを有する実施例を示す図であって、ジッパーによりカバーがボール収容バッグのバッグ開口をカバーする。
【図７】本発明の実施例が他のボール収容バッグ枠に組み付けられている状態を示す図である。
【図８】本発明の実施例が別のボール収容バッグ枠に組み付けられている状態を示す図である。
【図９】本発明の実施例が更に別のボール収容バッグ枠に組み付けられている状態を示す図である。
【図１０】本発明の実施例３を示す斜視図である。
【図１１】本発明の実施例３がボール収容バッグ枠に組み付けられている状態を示す斜視図である。
【図１２】本発明の実施例４がボール収容バッグ枠に組み付けられている状態を示す分解斜視図である。
【図１３】本発明の実施例５がボール収容バッグ枠に組み付けられている状態を示す分解斜視図である。
【図１４】本発明の実施例５がボール収容バッグ枠に組み付けられている状態を示す斜視図である。
【図１５】本発明の実施例６がボール収容バッグ枠に組み付けられている状態を示す分解斜視図である。
【発明を実施するための最良の形態】
【００１５】
以下、本発明の実施の形態を図面に基づいて説明する。
図１から図９を参照する。図１は本発明の実施例１を示す斜視図であり、図２は本発明の実施例２を示す斜視図であり、図３は本発明の実施例が少量のボールを収容している状態を示す図であり、図４は、本発明の実施例が多量のボールを収容しているときに、ボール収容バッグの容量が自動的に増大する状態を示す図であり、図５は本発明の実施例がキャスターを有するボール収容バッグ枠に組み付けられている状態を示す図であり、図６は、本発明のカバーを有する実施例を示す図であって、ジッパーによりカバーがボール収容バッグのバッグ開口をカバーすり、図７は本発明の実施例が他のボール収容バッグ枠に組み付けられている状態を示す図であり、図８は本発明の実施例が別のボール収容バッグ枠に組み付けられている状態を示す図であり、図９は本発明の実施例が更に別のボール収容バッグ枠に組み付けられている状態を示す図である。本実施例は、バッグ底部１０と、バッグ周辺２０と、バッグ開口エッジ部３０と、を含む。
【００１６】
バッグ周辺２０の下方のエッジは、バッグ底部１０の上方のエッジに連接されている。
【００１７】
バッグ開口エッジ部３０は、バッグ周辺２０の上方のエッジに連接されている。
【００１８】
本発明の実施例は、四つ以上の弾性体４０を有する。弾性体４０は、バッグ周辺２０の四つの側辺に設けられており、又はバッグ周辺２０の四つの側辺と対向する二つの側辺の間の適当の間隔を有する箇所とに設けられている。弾性体４０のエッジ４１、４２は、バッグ開口エッジ部３０と、バッグ底部１０とに、それぞれ連結されている。このように、少量のボール６０を収容しているときには、少量のボール６０の重量がより軽いため、弾性体４０の引張程度が少なく、これにより、バッグ開口２の付近にボール６０がいつもあり、ボール６０の取出しが容易となる。なお、多量のボール６０を収容しているときには、多量のボール６０の重量により、弾性体４０が引張られてバッグの容量が増加するため、多量のボール６０を収容することが可能である。ボール６０を取出することに従って、弾性体４０の引張程度が小さくなって、バッグ開口２の付近にボールがいつもあり、ボール６０の取出しが容易となる。
【００１９】
バッグ開口エッジ部３０の上方にカバー５０が設けられている。ジッパー５１により、カバー５０はバッグ開口エッジ部３０の上方に連接されている。
【００２０】
バッグ開口エッジ部３０にハンドル５２が二つ設けられている。二つのハンドル５２により、ボール収容バッグ１の移動が便利となる。
【００２１】
バッグ開口エッジ部３０のコーナーにラグ３１がそれぞれ設けられている。ラグ３１に固定穴３１１が設けられている。第１ボール収容バッグ枠７０にボール収容バッグ１を組付けることが可能である。第１ボール収容バッグ枠７０は、底部にキャスター７１が複数設けられており、上部にキノコ状を呈する固定ロッド７２が複数設けられている。ラグ３１の固定穴３１１は固定ロッド７２に固定されている。
【００２２】
第２ボール収容バッグ枠８０にボール収容バッグ１を組付けることが可能である。第２ボール収容バッグ枠８０は、床面と接触する支脚８１が複数設けられており、上カバー８２を有する。上カバー８２はボール収容バッグ１のバッグ開口２をカバーする。
【００２３】
第３ボール収容バッグ枠９０にボール収容バッグ１を組付けることが可能である。第３ボール収容バッグ枠９０は、床面と接触する脚枠９１が複数設けられており、上蓋９２を有する。上蓋９２はボール収容バッグ１のバッグ開口２をカバーする。
【００２４】
第４ボール収容バッグ枠１００にボール収容バッグ１を組付けることが可能である。第４ボール収容バッグ枠１００の周りはカバー布１０１に覆われる。
【００２５】
弾性体４０は、バネ、弾性付きロープ、又は弾性付きバンドである。
【００２６】
図１０から図１５を参照する。図１０は本発明の実施例３を示す斜視図であり、図１１は本発明の実施例３がボール収容バッグ枠に組み付けられている状態を示す斜視図であり、図１２は本発明の実施例４がボール収容バッグ枠に組み付けられている状態を示す分解斜視図であり、図１３は本発明の実施例５がボール収容バッグ枠に組み付けられている状態を示す分解斜視図であり、図１４は本発明の実施例５がボール収容バッグ枠に組み付けられている状態を示す斜視図であり、図１５は本発明の実施例６がボール収容バッグ枠に組み付けられている状態を示す分解斜視図である。本実施例は、バッグ底部１０と、バッグ周辺２０と、バッグ開口エッジ部３０と、を含む。
【００２７】
バッグ周辺２０の下方のエッジは、バッグ底部１０の上方のエッジに連接されている。
【００２８】
バッグ開口エッジ部３０は、バッグ周辺２０の上方のエッジに連接されている。
【００２９】
本発明の実施例は、四つ以上の弾性体４０を有する。弾性体４０は、バッグ周辺２０の四つの側辺に設けられており、又はバッグ周辺２０の四つの側辺と対向する二つの側辺の間の適当の間隔を有する箇所とに設けられている。本実施例の弾性体４０は弾性付きロープ４３である。弾性付きロープ４３は弾性付きファスナー４４に固定される。弾性付きロープ４３のエッジ４３１、４３２は、バッグ開口エッジ部３０と、バッグ底部１０とに、それぞれ連結されている。弾性付きファスナー４４を圧迫すると、弾性付きロープ４３の長さを調整することが可能である。このように、図１０に示すように、ボール収容バッグ１を小容量にすることが可能であり、又は図１１に示すように、ボール収容バッグ１を大容量にすることが可能である。
【００３０】
本発明の別の実施例は、四つ以上の弾性体４０を有する。バッグ周辺２０の四つの側辺の上下端、又はバッグ周辺２０の四つの側辺と対向する二つの側辺の間の適当の間隔を有する箇所との上下端に、上リング４５と下リング４６がそれぞれ設けられている。本実施例の弾性体４０は弾性付きロープ４３である。一つの弾性付きロープ４３は、上リング４５を挿通し、その両端が下リング４６で交差して弾性付きファスナー４４に固定される。弾性付きファスナー４４を圧迫すると、弾性付きロープ４３の長さを調整することが可能である。
【産業上の利用可能性】
【００３１】
本発明は、ボール収容バッグに適用することができる。
【符号の説明】
【００３２】
１  ボール収容バッグ
２  バッグ開口
１０  バッグ底部
２０  バッグ周辺
３０  バッグ開口エッジ部
３１  ラグ
４０  弾性体
４１  エッジ
４２  エッジ
４３  弾性付きロープ
４４  弾性付きファスナー
４５  上リング
４６  下リング
５０  カバー
５１  ジッパー
５２  ハンドル
６０  ボール
７０  第１ボール収容バッグ枠
７１  キャスター
７２  固定ロッド
８０  第２ボール収容バッグ枠
８１  支脚
８２  上カバー
９０  第３ボール収容バッグ枠
９１  脚枠
９２  上蓋
１００  第４ボール収容バッグ枠
１０１  カバー布
３１１  固定穴
４３１  エッジ
４３２  エッジ
【図１】
0005845312.tif 000002
【図２】
0005845312.tif 000003
【図３】
0005845312.tif 000004
【図４】
0005845312.tif 000005
【図５】
0005845312.tif 000006
【図６】
0005845312.tif 000007
【図７】
0005845312.tif 000008
【図８】
0005845312.tif 000009
【図９】
0005845312.tif 000010
【図１０】
0005845312.tif 000011
【図１１】
0005845312.tif 000012
【図１２】
0005845312.tif 000013
【図１３】
0005845312.tif 000014
【図１４】
0005845312.tif 000015
【図１５】
0005845312.tif 000016